(57)【要約】【課題】小型照明装置付き手袋で、ＬＥＤライトのＯＮ／ＯＦＦを片方の手を使わずに切り替えができ、少ない手の動きでライトの照射方向が変えられ、維持できるＬＥＤライト付き手袋の提供を課題とする。【解決手段】ＬＥＤライトと電池を設置した小型照明装置を手袋の手のひら中央部付近に装着固定し、ＬＥＤライト周囲に配置したＯＮ／ＯＦＦスイッチが手のひらの開閉により手のひらを構成する部位がスイッチを挟んで押し圧し、ＬＥＤライトのＯＮ・ＯＦＦができる。【選択図】図１
2019127676.tif 000002
【特許請求の範囲】
【請求項１】
小型照明措置を装着した手袋であって、前記小型照明装置がＬＥＤライト
と電池と配電盤と前記照明装置外周にＯＮ／ＯＦＦスイッチとを備え、手
袋の手のひらの中央部付近に前記ＬＥＤライトが露出する状態で装着固定
され、前記手のひらの開閉で前記手のひらを構成する部位、母指球、小指
球、四指球、掌底によって前記ＯＮ／ＯＦＦスイッチが挟まれ押し圧され、
前記ＬＥＤライトの点灯・消灯がされることを特徴とするＬＥＤライト付
き手袋。
【請求項２】
小型照明装置を装着した手袋であって、前記手袋の手のひら側表面全体或
いは一部に  アルミラミネートフィルム或いはアルミ蒸着フィルムが配置
されたことを特徴とする請求項１に記載のＬＥＤライト付き手袋。
【発明の詳細な説明】
【技術分野】
【０００１】
この発明は、手のひらの開閉でスイッチをＯＮ／ＯＦＦできるＬＥＤラ
イトを設置した小型照明装置付き手袋に関する。
【背景技術】
【０００２】
夜間に野外や暗い場所で作業をする場合、通常はライトを使用する必要
がある。懐中電灯に代表される手で持って使用するライト、ベルトやヘ
ルメットに取り付け頭部に固定するライト、胸に固定するライト等が見
られる。又下記特許文献の様に、手袋にライト装着したものも知られて
いる。
【０００３】
このような照明装置付き手袋は、ライトを手袋本体に容易に着脱できる
と共に、ライトの投光の位置決めが容易であり、しかも投光方向を容易
に変える事が出来、狭い空間等特定の場所を明るく照らすことができる
としている。
【先行技術文献】
【特許文献】
【０００４】
【特許文献１】特開２００７−２２４４６２
【特許文献２】実用新案登録３１６９２６６特許文献１の照明装置付き手袋は、従来のライトが指先部に装着されていて指の動きにあわせて光線が振られ  照射箇所がめまぐるしく移動し安定性が悪く、しかも作業場所を的確に照射することが難しく、使い勝が悪いとしている。特許文献１は、手を覆う手袋本体における甲部に、手先に向かって投光するライトと、このライトに給電する電池と、ライトへの給電を遮断しうるスイッチを設けてあり、照射したい箇所を的確に、かつ安定して照射が出来ると共に、他方の手でスイッチを簡単に操作することができて使い勝手が良いとしている。
【０００５】
特許文献２のライト付き手袋は、従来の手の甲にライトを設けた手袋は、
手に手袋をしたまま作業を行うことが可能であり、ライトの方向も手で
スムースに動くが、進行方向を照らす為には常に手を上げておく必要が
あり、距離の離れた特定の箇所を十分明るく照らすことが難しいとし、
特許文献２のライト付き手袋が手袋と手の甲に固定されるライトユニッ
トから構成され、指先側に向かう指向性のある光を照射する第一ライト
と、少なくとも甲側に平行な方向に拡散する光を照射する第二ライトを
有し、２つのライト切り替えで手を下げていても前方向を照らすことが
出来、特定対象を明るく照らすことが出来るとしている。しかし特許文
献１、特許文献２のいずれも、ライトを手の甲に設置しスイッチも手の
甲に設けていることから、スイッチのＯＮ／ＯＦＦはもう一方の手を使
用し行わなければならない。そのためスイッチを切り替える場合、暗闇
で掴んでいた工具類を手放して作業する必要があり、手間が掛かり工具
類紛失の可能性が生じる。又手の甲側のライトはライトの方向を変える
為には、大きく不自然に動かし維持する必要があり、特許文献２に対策
として２つのライトを設置する記載がされている。
【発明の概要】
【発明が解決しようとする課題】
【０００６】
そこでこの発明は、ＬＥＤライト付き手袋であって、ライトのＯＮ／Ｏ
ＦＦがもう一方の手を使わず切り替えができ、少ない手の動きでライト
の照射方向が変えられ、維持できるＬＥＤライト付き手袋の提供を課題
とする。
【課題を解決するための手段】
【０００７】
以上の課題を解決するために、ＬＥＤライトと電池を設置した小型照明
装置を手袋の手のひらの中央部付近に装着固定し、手のひらに密着させ
ＬＥＤライト周囲に配置したＯＮ／ＯＦＦスイッチが、手のひらの開閉
により筋肉、骨、肉、皮で形成される手のひらを構成する部位により、
挟んで押し圧され、ＬＥＤライトの電源のＯＮ／ＯＦＦができる。
【発明の効果】
【０００８】
本発明によれば、手袋の手のひらに装着した小型照明装置に設置された
ＬＥＤライトが、手のひらの開閉だけでスイッチがＯＮ／ＯＦＦ出来、
もう一方の手を使用すること無く簡単にＬＥＤライトの点灯、消灯がで
きる。その効果として、夜間の暗闇での作業で片方の手を使わずライト
のＯＮ／ＯＦＦが出来、持っている工具等を一旦置くこと無く作業を続
けられ、暗闇での工具等の紛失の危険も少なくなる。装着場所が手のひ
ら側のため少ない手の動きで光の方向が幅広く変えられ、長短距離の調
整もでき、狭所での照射位置決め、維持も容易になる。
【図面の簡単な説明】
【０００９】
【図１】ＬＥＤライト付き手袋正面図
【図２】ＬＥＤライト付き手袋装着正面図
【図３】ＬＥＤライト付き手袋装着操作図
【図４】小型照明装置の全体図
【図５】小型照明装置構造図
【図６】ＬＥＤライト付き手袋使用図
【図７】アルミラミネートフィルム配置図
【００１０】
以下本発明の実施形態の説明を図面を参照に行う。
図１は、ＬＥＤライト付き手袋を正面から見た全体図を示す。
手袋２の手のひら側中央部に、ＬＥＤライト１１を正面に向けた状態で
小型照明装置１が装着固定されている。小型照明装置１の位置は、手の
ひら中央部付近から手首に向かって掌底あたりまで装着固定できる。作
業の内容によって適性位置が異なるので、手のひら上部から下部まで装
着できる範囲を確保することできる。たとえば対象が近距離の場合、Ｌ
ＥＤライト１１を手のひら下部掌底付近に固定すれば、指が光を遮らず
影にならないので効果的に作業が出来る。小型照明装置の装着固定方法
は、照明装置を設置する所定位置裏にマグネットを配置し、小型照明装
置１の裏側金属部で固定する方法、手袋２裏面より袋状になった収納部
に入れ表面にＬＥＤライト１１だけ露出し固定する方法、面ファスナー
を使用する方法等があり組み合わせて考えることもでき、いずれも簡
単に着脱が出来、所定の位置に固定できる。
【００１１】
図２は、ＬＥＤライト付き手袋を装着した状態の正面図である。手袋２
は、作業し易いよう指先を露出する状態を示しているが、指先まで覆う
手袋の形態でも良い。ＬＥＤライト１１の円周もしくは円周の一部に凸
状のＯＮ／ＯＦＦスイッチ１２が設置され、手のひら３の開閉で手のひ
ら３を構成する部位、母指球３１、小指球３２、掌底３３、四指球３４
によりＯＮ／ＯＦＦスイッチ１２が挟まれ押し圧され電源が入る。再度
手のひら３を開閉するとスイッチが再度押され電源が切れる。又手袋２
の小型照明装置１の設置部周辺に押し圧力を高める補助凸リブ２１を設
けると手のひら３の開閉時に当たり強く押せ  スムースなＯＮ／ＯＦＦ
が可能となる。
【００１２】
図３は、ＬＥＤライト付き手袋を装着した手のひら３を開閉した状態を
表している。手のひらの開閉でＬＥＤライト１１の電源ＯＮ／ＯＦＦが
できる。図Ａは、手のひら３を開いた状態で対象物に照射できる状態、
図Ｂは手のひら３を閉じ、手のひらの外に光が照射されない状態。ＬＥ
Ｄライト１１の点灯、消灯は手のひら３の動きに連動する。手袋２を装
着し手のひら３を閉じ図Ｂの状態で点灯し、手のひら３を開けば、図Ａ
の状態で照射ができる。この状態から手のひら３を閉じると  ＬＥＤラ
イト１１が消灯し図Ｂの状態になる。作業中に適時に、手のひら３の開
閉だけで点灯、消灯ができる構造である。ＯＮ／ＯＦＦスイッチ１２は、
点灯、消灯のワンパターンだけでなく、複数回の手のひらの開閉で  光
量の強弱、照射角度、範囲を段階的に切り替えできるパターンを設定す
ることもできる。
【００１３】
図４は、小型照明装置１の正面図Ａと斜視図Ｂである。
ＬＥＤライト１１の円周もしくは円周の一部に凸状のＯＮ／ＯＦＦスイ
ッチ１２が設置され、手のひらの開閉で手のひらを構成する部位により
ＯＮ／ＯＦＦスイッチ１２が挟まれ押し圧され電源が入る。再度手のひ
ら３を開閉すると再びスイッチが押され電源が切れる。ＬＥＤライト１
１の保護として、ＬＥＤライト１１上部円周に凸部を配置し、地面等に
手のひらを着いた時に直接ＬＥＤライト１１が衝撃を受けない様にする
とライトの破損を防止できる。小型照明装置１には、ＬＥＤライト１１
は必要な光量に応じ１個或いは複数個設置される。
【００１４】
図５は、小型ＬＥＤライト照明装置１の内部構造を示した断面図である。
手のひらに装着した時に邪魔にならない程度の薄型形状に形成され、小
型照明装置１の中に電池１３とＬＥＤライト１１と配電盤１４が組み込
まれ、外周のＯＮ／ＯＦＦスイッチ１２と繋がり、手のひら３の開閉で
スイッチ凸部が挟まれ押し圧され、ＯＮ／ＯＦＦがなされ、点灯と消灯
ができる構造である。
【００１５】
図６は、ＬＥＤライト付き手袋を装着し、スイッチをＯＮにし使用して
いるところである。図Ａは、暗所で作業場所を照射し作業をしている状
態で、左手で必要箇所にＬＥＤライトの光を当て、右手は自由なので工
具を持つことができる。手袋のＬＥＤライト装着位置を下げれば、影に
ならず左手の指先も使用できる。図Ｂは、暗闇で足元を照らしていると
状態を表している。左手のひらを地面に向ければ、足元付近を明るく照
らすことが出来危険無く歩行が出来る。いずれも右手を使用しない自由
な状態を保ち、必要に応じ簡単に左手のひらの開閉だけでスイッチＯＮ
／ＯＦＦが出来、左手の動きだけで必要な箇所を照射出来る。
【００１６】
図７は、ＬＥＤライト付き手袋の手のひら側の手のひら部分表面に  ア
ルミラミネートフィルム４或いはアルミ蒸着フィルムを配置したところ
である。手袋２の手のひら側に鏡面、光沢がある材質を配置すれば、Ｌ
ＥＤライト１１の光が鏡面、光沢面に反射し  手のひらを広げればＬＥ
Ｄライト１１の光を広範囲に照らすことが出来、光量もアップし、手の
ひらの開閉度合いで光の拡散の調整ができる。
【符号の説明】
【００１７】
１        小型照明装置
１１      ＬＥＤライト
１２      ＯＮ・ＯＦＦスイッチ
１３      電池
１４      配電盤
２        手袋
２１      補助凸リブ
３        手のひら
３１      母指球
３２      小指球
３３      掌底
３４      四指球
４        アルミラミネートフィルム
【図１】
2019127676.tif 000003
【図２】
2019127676.tif 000004
【図３】
2019127676.tif 000005
【図４】
2019127676.tif 000006
【図５】
2019127676.tif 000007
【図６】
2019127676.tif 000008
【図７】
2019127676.tif 000009